(57)【要約】【課題】従来から、薄膜型ガスセンサにおける薄膜熱感知体は、ドライエッチング加工によって形状に不均一が生じ、センサチップによってガス検知感度がばらつくという問題があった。このばらつきを補正するため、実装段階で補正アンプを搭載しているが、これによりガスセンサパッケージが肥大化するという問題があった。【解決手段】本発明の薄膜型ガスセンサは、梁部に複数の薄膜熱感知体、電極パッドを設け、それらを金属薄膜抵抗体で繋いでいる。薄膜熱感知体を選択することにより、ドライエッチング加工の不均一によって生じる薄膜熱感知体の抵抗値を補正することができる。したがって、ガス検知感度のばらつきを、センサチップ上で補完し、個体差を解消することができる。【選択図】図１
2010164411.tif 000002
【特許請求の範囲】
【請求項１】
支持基板に端部を接続してなる梁部を有し、該梁部の表面に薄膜熱感知体と、該薄膜熱感知体の上部にガス検知体と、を備える薄膜型ガスセンサにおいて、
前記支持基板の表面に少なくとも３つの電極パッドを有し、
前記薄膜熱感知体は、一方の端部を第1の配線によって第1の電極パッドと接続し、他方の端部を第２の配線によって第２の電極パッドと接続し、
前記一方の端部と前記他方の端部との間の前記薄膜熱感知体の途中に分岐部を備え、
前記分岐部を第３の配線によって第３の電極パッドと接続することを特徴とする薄膜型ガスセンサ。
【請求項２】
前記分岐部と前記第３の電極パッドとの間に別の薄膜熱感知体を設けたことを特徴とする請求項１に記載の薄膜型ガスセンサ。
【請求項３】
前記薄膜熱感知体と前記別の薄膜熱感知体とは、抵抗値が異なることを特徴とする請求項２に記載の薄膜型ガスセンサ。
【請求項４】
前記薄膜熱感知体は、前記一方の端部と前記分岐部との間の抵抗値と、前記他方の端部と前記分岐部との間の抵抗値と、が異なることを特徴とする請求項１から３のいずれか１つに記載の薄膜型ガスセンサ。
【請求項５】
前記電極パッド間の距離が等しいことを特徴とする請求項１から４のいずれか１つに記載の薄膜型ガスセンサ。
【発明の詳細な説明】
【技術分野】
【０００１】
本発明は、ガス検出装置に用いるガスセンサに関し、特に薄膜型ガスセンサに関する。
【背景技術】
【０００２】
従来から、水素ガスやメタンガス等の可燃性ガスを検知するセンサとして、ガスセンサが用いられている。ガスセンサは、検知素子の検知面にガスが到来することによる相互作用で検知素子の電気信号の変化を捉えるものである。
【０００３】
ガスセンサの構成は多くの提案をみるものであるが、中でも接触燃焼式ガスセンサが広く知られている。この接触燃焼式ガスセンサは、ガスが検知面の触媒と接触し発熱反応を起こすことで検出を行うものである。
【０００４】
このような接触燃焼式ガスセンサは、家庭用、産業用等において、可燃性ガスを使用する各種の機器内や、それが設置された室内等におけるガス漏れ検知装置として多用されている。
【０００５】
近年では、接触燃焼式ガスセンサの中でもバルク型と呼ばれるタイプが広く用いられているが、一方でシリコンウェハ上に薄膜状の熱伝膜，触媒膜，電極，配線，ヒーターを形成するマイクロセンサ素子製造技術を利用した、ＭＥＭＳ（Ｍｉｃｒｏ  Ｅｌｅｃｔｒｏ
Ｍｅｃｈａｎｉｃａｌ  Ｓｙｓｔｅｍｓ：微小電気機械素子）によるセンサチップを用いた薄膜型ガスセンサも用いられるようになってきた（例えば、特許文献１参照。）。
【０００６】
特許文献１に示した従来技術を図６を用いて説明する。図６は、説明しやすいようにその主旨を逸脱しないように書き直しした平面図である。
図６において、４１は電極パッド、４２は電気配線、４３は空洞、４４は半導体基板、４５は熱感知部、４６は梁部である。
半導体基板４４は、枠形状に加工されており、この枠をつなぐ梁部４６が形成されている。平面から見ると、その梁部４６がない部分は空洞４３となっている。空洞４３は、エアホールとも呼ばれるものであって、可燃性ガスが通過する部分である。
梁部４６の上部に設けられた熱感知部４５は、可燃性ガスの到達により発熱反応し抵抗値が変化する。
【０００７】
このような構成を有するセンサチップと、このセンサチップを制御する回路等により薄膜型ガスセンサを構成する。可燃性ガスの到来を検出するためには、予め電極パッド４１間に電圧を印加しておき、可燃性ガスの到来による熱感知部４５の発熱によって生じる抵抗変化分を検出する。
【０００８】
薄膜型ガスセンサのセンサチップは、構成要素が半導体製造技術により形成することができるため、バルク型接触燃焼式ガスセンサに比べ集積度が高く、量産性も高いという特徴がある。また、ヒーターなども金属製の薄膜熱感知体で形成できることから、熱応答性も良好である。
【０００９】
近年、薄膜型ガスセンサの小型化が要求されている。薄膜型ガスセンサのサイズは、センサチップの平面的な面積、並びに厚さによって決定するため、小面積で薄型のセンサチップであるほど、薄膜型ガスセンサを小型化することができる。
【先行技術文献】
【特許文献】
【００１０】
【特許文献１】特開平８−２４７９８１号公報（第６頁、図１）
【発明の概要】
【発明が解決しようとする課題】
【００１１】
特許文献１に示した従来技術は、ＭＥＭＳ技術を用いた薄膜型ガスセンサであるから、センサチップの熱感知部の形状はより細く小さく形成することができるため、微細な金属配線を形成することができる。このため、薄膜型ガスセンサのサイズを小型化することができる。
しかし発明者が検討したところによると、特許文献１に示した従来技術では、熱感知部に備わる抵抗値に、不均一が生じることが分かった。その原因は、熱感知部の製造方法にあった。
【００１２】
ところで、薄膜型ガスセンサの電気配線や熱感知部を構成する金属は、白金やパラジウムなどの高融点貴金属を用いる場合が多い。
その理由は、可燃性ガスが到来したときに生じる温度である。いわゆる燃焼温度と呼ばれるその温度は、例えば、４００度を超える。
また、知られている薄膜型ガスセンサでは、熱感知部の金属配線上に触媒を焼結させている。この触媒は、可燃性ガスが到来したときに発熱するものであって、検出感度を向上させる効果がある。しかし、この触媒の焼結温度も高く、用いる触媒の材質にもよるが、例えば、６００〜７００度程度である。
【００１３】
このように、薄膜型ガスセンサは、使用状態であっても、製造工程上であっても、その電気配線や熱感知部を構成する金属は高温状態になる。このため、それらを構成する金属には、高融点貴金属を用いているのである。
【００１４】
しかしながら、これらの高融点貴金属は硬度が高く、溶液との反応も乏しいため、機械加工やウェットエッチングによる加工は難しく、ドライエッチングを用いて加工することが一般的である。
【００１５】
特許文献１に示した従来技術を有する薄膜型ガスセンサのセンサチップを製造しようとするときであっても、そのような理由から、電気配線４２や熱感知部４５などに用いる金属を、ドライエッチングによって加工する。
しかし、ドライエッチングによる技術では、知られているように、真空容器内部に配置した被エッチング物上の被エッチング部位の位置によってエッチング速度に差が出て、加工形状が異なってしまうという問題がある。
【００１６】
この様子を、図７を用いて説明する。
図７は、一例として被エッチング物をウェハ状の半導体基板とし、この半導体基板にセンサチップを複数個配置した例を示している。図７（ａ）は、２９個のセンサチップを配置した半導体基板の平面図である。図７（ｂ）は、図７（ａ）の仮想線７０ｘ上に配置している各センサチップにおける薄膜熱感知体の抵抗値の分布を模式的に示した図である。
【００１７】
図７において、７０ｘ，７０ｙは仮想線、７１，７２，７３，７４，７５，７６，７７はセンサチップである。また、７１ａ，７２ａ，７３ａ，７４ａ，７５ａ，７６ａ，７７ａは、各センサチップの薄膜熱感知体の抵抗値をそれぞれ示すものである。Ｄ１は薄膜熱感知体の抵抗値のばらつきを示している。
【００１８】
図７（ｂ）は、縦軸を抵抗値としており、横軸には各センサチップの位置を示している。各センサチップは、仮想線７０ｘ上に配置しているものである。各センサチップにおけ
る薄膜熱感知体の抵抗値は、半導体基板のほぼ中心に位置するセンサチップより、半導体基板の周辺に位置するセンサチップの方が低くなっていることを示している。すなわち、センサチップ７４よりもセンサチップ７１，７７の方が、抵抗値が低くなっている。この抵抗値の差がばらつきD１となるのである。
【００１９】
このようなばらつきは、被エッチング部位の位置によってエッチング速度に差が出て、加工形状が異なってしまうために起こるものであって、薄膜熱感知体の線幅が設計値よりも細くなると抵抗値が上がり、太くなると抵抗値が下がるのである。
【００２０】
図７（ａ）では、仮想線７０ｘ上に配置している各センサチップについて、その薄膜熱感知体の抵抗値のばらつきを示したが、もちろん、仮想線７０ｙ上に位置している各センサチップにおける薄膜熱感知体の抵抗値の分布も同様である。
【００２１】
このばらつきＤ１は、薄膜熱感知体を構成する材質や膜厚、エッチング条件、または半導体基板やセンサチップのサイズなどによっても異なるため一概には言えないが、例えば、１０％程度である。
仮にセンサチップ７４の薄膜熱感知体の抵抗値が３００Ωとすると、センサチップ７１，７７の薄膜熱感知体の抵抗値は２７０Ωになってしまう。センサチップ７２，７６は、ばらつきＤ１の約半分（５％程度）であるから、薄膜熱感知体の抵抗値は、２８５Ω程度となる。
【００２２】
つまり、半導体基板の中心部分に位置するセンサチップの薄膜熱感知体を設計値通りに加工するようにエッチング条件を決めたときは、半導体基板の周辺に位置するセンサチップの薄膜熱感知体がエッチングされにくく、線幅が設計値よりも広くなってしまうから、抵抗値が下がってしまうのである。
一方、半導体基板の周辺部分に位置するセンサチップの薄膜熱感知体を設計値通りに加工するようにエッチング条件を決めたときは、半導体基板の中心に位置するセンサチップの薄膜熱感知体がエッチングされやすくなり、線幅が設計値よりも細くなってしまうから、抵抗値が上がってしまう。
このように、１つの半導体基板から切り出されるセンサチップであっても、薄膜熱感知体の抵抗値に個体差が生じてしまうのである。
【００２３】
次に、このように、被エッチング物上の被エッチング部位の位置によってエッチング速度に差が出てしまう理由を説明する。
一般にドライエッチングによる加工技術は、加工精度が高いことが知られており、数ミクロンの配線幅や配線間隔のパターンを形成する場合に適している。知られているように、ドライエッチングによる加工中は、ラジカルが支配的になる化学的エッチングと、イオンが支配的になる物理的エッチングと、が起きている。
エッチング条件を決めるときは、ラジカルとイオンとの双方の効果がバランスするような条件を見出して、エッチングばらつきを低減するようにする。
【００２４】
ちなみに、化学的エッチングと物理的エッチングとをバランスさせるということは、例えば、このような状態である。
すなわち、ラジカルが支配的になる化学的エッチングのエッチング特性を、半導体基板の中心部より周辺部の方がエッチングされやすくしておき、イオンが支配的になる物理的エッチング特性を、その逆にしておくのである。
このようにすれば、双方のエッチング特性がバランスし、半導体基板全面に渡りほぼ均一なエッチング速度となり、半導体基板上にて被エッチング物の加工形状が異なってしまうことを防ぐことができる。
【００２５】
半導体素子を集積した半導体回路チップなどの場合であれば、その配線材料はアルミニウムや銅を用いることが多い。このような材料をエッチングするときには、反応ガスとして塩素を用いることが多い。その理由は、反応ガスとして塩素を用いると、アルミニウムや銅のエッチングに際しては化学的エッチングと物理的エッチングとがバランスしやすいためである（つまり、エッチング条件を見出しやすいということである。）。
【００２６】
一方、薄膜型ガスセンサのセンサチップの場合であれば、その配線等に用いる高融点貴金属である白金やパラジウムは、傾向的に化学的エッチングが支配的になりやすい。このため、物理的エッチングとのバランスが取りにくく、被エッチング物上の被エッチング部位の位置によってエッチング速度に差が出て、加工形状が異なってしまいやすいのである。
【００２７】
さて、薄膜型ガスセンサに用いるセンサチップにおいて、このような感度の個体差を低減するためには、補正用アンプを用いる技術が知られている。つまり、補正用アンプを用いて感度補正を行うのである。この補正用アンプは、単体の半導体チップとして、センサチップをパッケージに実装するときに、同時に実装される。
しかし、補正用アンプを構成した半導体チップを別途搭載することでパッケージは肥大化してしまう。つまり、半導体製造技術を用いてセンサチップは小型化することができても、それを搭載するパッケージの小型化はできないのである。
【００２８】
本発明の薄膜型ガスセンサは、このような課題を解決する為にある。そしてその目的は、ガスセンサ感度の個体差をセンサチップ上で補正し、パッケージレベルでの小型化を達成することである。
【課題を解決するための手段】
【００２９】
上記の課題を解決する手段として、本発明の薄膜型ガスセンサは下記記載の構造を採用するものである。
【００３０】
支持基板に端部を接続してなる梁部を有し、梁部の表面に薄膜熱感知体と、薄膜熱感知体の上部にガス検知体と、を備える薄膜型ガスセンサにおいて、
支持基板の表面に少なくとも３つの電極パッドを有し、
薄膜熱感知体は、一方の端部を第1の配線によって第1の電極パッドと接続し、他方の端部を第２の配線によって第２の電極パッドと接続し、
一方の端部と他方の端部との間の薄膜熱感知体の途中に分岐部を備え、
分岐部を第３の配線によって第３の電極パッドと接続することを特徴とする。
【００３１】
このような構成とすることによって、薄膜熱感知体の抵抗値を任意に選択することができる。
【００３２】
分岐部と第３の電極パッドとの間に別の薄膜熱感知体を設けるようにしてもよい。
【００３３】
このような構成とすることによって、薄膜熱感知体の抵抗値をさらに変更することができる。
【００３４】
薄膜熱感知体と別の薄膜熱感知体とは、抵抗値が異なるようにしてもよい。
【００３５】
このような構成とすることによって、薄膜熱感知体の抵抗値としての変更範囲を広げることができる。
【００３６】
薄膜熱感知体は、一方の端部と分岐部との間の抵抗値と、他方の端部と分岐部との間の
抵抗値と、が異なるようにしてもよい。
【００３７】
このような構成とすることによって、薄膜熱感知体の加工形状に不均一が生じてもその抵抗値を補正しやすくなる。
【００３８】
電極パッド間の距離が等しいようにしてもよい。
【００３９】
このような構成とすることによって、電極パッドを選択しやすくなる。
【発明の効果】
【００４０】
本発明の薄膜型ガスセンサは、一方の端部を第1の配線によって第1の電極パッドと接続し、他方の端部を第２の配線によって第２の電極パッドと接続する薄膜熱感知体を有しており、その途中に分岐部を設けている。この分岐部から第３の配線によって第３の電極パッドと接続している。
第１〜第３の電極パッドの組み合わせを選択することにより、薄膜熱感知体の抵抗値を任意に選択することができる。
したがって、ドライエッチング加工の不均一をセンサチップ上で補正し、ガスセンサ感度の不均一を解消できる。
【図面の簡単な説明】
【００４１】
【図１】本発明の薄膜型ガスセンサの第１の実施形態を説明する図である。
【図２】本発明の薄膜型ガスセンサの第２の実施形態を説明する図である。
【図３】本発明の薄膜型ガスセンサの第３の実施形態を説明する図である。
【図４】本発明の薄膜型ガスセンサの第４の実施形態を説明する図である。
【図５】本発明の薄膜型ガスセンサにガス検知体を設ける構成を説明する図である。
【図６】特許文献１に示した従来技術を説明するための図である。
【図７】被エッチング物上の位置によってエッチングに差が出てしまう様子を説明する図である。
【発明を実施するための形態】
【００４２】
以下、本発明の薄膜型ガスセンサを、図を用いて詳細に説明する。本発明の薄膜型ガスセンサは、半導体基板を加工して形成する例を用いて説明する。半導体基板は、特に限定しないが、シリコン半導体基板を用いることができる。また、本発明の薄膜型ガスセンサは、片持ち梁構造でも両持ち梁構造であってもかまわないが、本発明の実施形態では、両持ち梁構造を例にして説明する。
【実施例１】
【００４３】
［第１の実施形態の説明：図１］
本発明の薄膜型ガスセンサの第１の実施形態を図１を用いて説明する。図１は、本発明の薄膜型ガスセンサの第１の実施形態の構造を模式的に示す図である。図１（ａ）はその平面図、図１（ｂ）は図１（ａ）の切断線Ａ−Ａ’における端面を模式的に示す端面図である。
【００４４】
図１において、１ａ，１ｂはガスの通過する部分である貫通孔、２は梁部、３ａは分岐部、４ａ，４ｂは薄膜熱感知体である。第１の実施形態の薄膜熱感知体は、この薄膜熱感知体４ａ，４ｂで構成している。８は第１の電極パッド、９は第２の電極パッド、１０は第３の電極パッド、１１は支持基板、１２は絶縁膜である。１５は第１の配線となる第１の金属薄膜抵抗体、１６は第２の配線となる第２の金属薄膜抵抗体、１７は第３の配線となる第３の金属薄膜抵抗体である。Ｌ１は第１の電極パッド８と第２の電極パッド９までの距離、Ｌ２は第１の電極パッド８と第３の電極パッド１０までの距離、Ｍ１，Ｍ２，Ｍ
３はマークである。
なお、図１は、図面を見やすくするため、薄膜熱感知体４ａ，４ｂの上部に設けるガス検知体（触媒）は省略している。ガス検知体は後述の図５に図示されているのでそれを参照されたい。
【００４５】
支持基板１１は、平面的に枠形状を有しており、支持基板１１の上部に絶縁膜１２が設けられている。
梁部２は、枠形状の対向する２辺を所定の幅を持って橋渡しするように形成され、図１（ｂ）の端面図に示すように、絶縁膜１２で構成している。つまり、支持基板１１の上部に設ける絶縁膜１２を所定の形状で延長して梁部２を構成している。梁部２の裏側には支持枠（支持基板１１）は存在しない。ところで、このように、支持基板を橋渡しするように梁が設けてある構成を、両持ち梁構造という。
図１（ａ）に示すように、支持基板１１が梁部２により分割された領域が、ガスの流通部となる貫通孔１ａ，１ｂとなっている。この貫通孔１ａ，１ｂは、いわゆるエアホールと呼ばれる、可燃性ガスが通過する部分である。
【００４６】
絶縁膜１２の上部には、薄膜熱感知体４ａ，４ｂ、第１の金属薄膜抵抗体１５、第２の金属薄膜抵抗体１６、第３の金属薄膜抵抗体１７、第１の電極パッド８、第２の電極パッド９、第３の電極パッド１０、マークＭ１，Ｍ２，Ｍ３が設けてある。
第１の電極パッド８と第２の電極パッド９とは、距離Ｌ１を有して離間しており、同様に、第１の電極パッド８と第３の電極パッド１０とは、距離Ｌ２を有して離間している。
第１の電極パッド８の近傍には、マークＭ１を配設されている。同様に、第２の電極パッド９の近傍にはマークＭ２が、第３の電極パッド１０の近傍にはマークＭ３が、それぞれ配設されている。
【００４７】
分岐部３ａは、薄膜熱感知体４ａおよび薄膜熱感知体４ｂで構成する薄膜熱感知体の途中に設けてある。薄膜熱感知体４ａ，４ｂは、双方で一体の薄膜熱感知体であり、この分岐部３ａによって薄膜熱感知体４ａと薄膜熱感知体４ｂとに分かれている。
薄膜熱感知体４ａ，４ｂおよび第１の金属薄膜抵抗体１５、第２の金属薄膜抵抗体１６、第３の金属薄膜抵抗体１７は、一様な金属薄膜で形成している。このような金属薄膜は、白金やパラジウムなどの高融点貴金属を用いている。また、マークＭ１，Ｍ２，Ｍ３も同様な高融点貴金属で構成してもよい。
【００４８】
薄膜熱感知体４ａ，４ｂは、梁部２の上部に設けている。第１の電極パッド８、第２の電極パッド９、第３の電極パッド１０は、支持基板１１の上部の絶縁膜１２の上に設けている。
薄膜熱感知体と各電極パッドとの間は、第１の金属薄膜抵抗体１５、第２の金属薄膜抵抗体１６、第３の金属薄膜抵抗体１７によってそれぞれ接続されている。詳しくは、薄膜熱感知体４ａの端部と第１の電極パッド８とを第１の金属薄膜抵抗体１５で接続し、薄膜熱感知体４ｂの端部と第２の電極パッド９とを第２の金属薄膜抵抗体１６で接続し、分岐部３ａと第３の電極パッド１０とを第３の金属薄膜抵抗体１７で接続している。
【００４９】
各電極パッドからは、各金属薄膜抵抗体を介して薄膜熱感知体４ａ，４ｂに所定の電流を通電させている。このときの電流源は、図示しないが電源回路および制御回路により構成している。これらの回路は、センサチップとは別のシステム上に構成しており、配線を介して、各電極パッドと接続をしている。
【００５０】
薄膜熱感知体４ａ，４ｂは、一体の薄膜熱感知体であるが、その途中に分岐部３ａを設けており、この分岐部３ａによって分割されている。これにより、第１の電極パッド８、第２の電極パッド９、第３の電極パッド１０の選択によって、使用する薄膜熱感知体を変
更することができる。
例えば、第１の電極パッド８と第２の電極パッド９とを選択すると、薄膜熱感知体４ａと薄膜熱感知体４ｂとの直列合成抵抗値を選ぶことができる。換言すると、薄膜熱感知体４ａ，４ｂに電流を流すことができる。同様に、第１の電極パッド８と第３の電極パッド１０とを選択すると、薄膜熱感知体４ａの抵抗値を選ぶことができる。第２の電極パッド９と第３の電極パッド１０とを選択すると、薄膜熱感知体４ｂの抵抗値を選ぶことができる。
【００５１】
［第１実施形態の効果の説明：図１、図７］
このように、本発明の薄膜型ガスセンサは、その薄膜熱感知体の抵抗値を任意に選ぶことができるが、その抵抗値の選択は、薄膜熱感知体の加工形状の変化を見越して、選ぶことができる。次に、第１の実施形態の効果を説明する。
【００５２】
ドライエッチングの加工のばらつきについては、図７を用いてすでに説明したが、再度図７も用いて第１の実施形態の効果を説明する。
ドライエッチングでは、すでに説明したとおり、エッチング条件等により、エッチング速度に差が出て、加工形状が異なってしまう。この加工形状の変化により、薄膜熱感知体の抵抗値が変化してしまう。
【００５３】
薄膜熱感知体の抵抗値が、仮に設計上の抵抗値に対して１０％変化したとする。つまり、ある基準位置のセンサチップに対して別の場所のセンサチップが１０％ばらつくとする。図７に示したように、例えば、薄膜熱感知体の設計上の抵抗値を３００Ωとしたとき、半導体基板の中央部分に配置されるセンサチップ７４の抵抗値が３００Ωとなったら、半導体基板の周辺部に配置されるセンサチップ７７の抵抗値は２７０Ωとなってしまう。半導体基板の周辺部はエッチングされにくいので薄膜熱感知体の線幅が太くなり、抵抗値が低下するからである。
【００５４】
つまり、１つの半導体基板から切り出した薄膜型ガスセンサのセンサチップの薄膜熱感知体の抵抗値がばらついてしまう。このようなとき、従来知られている技術では、補正用アンプが必要になるが、本発明の薄膜型ガスセンサではそれが不要であって、第１の実施形態では、薄膜熱感知体の加工形状の変化を見越して、薄膜熱感知体４ａ，４ｂの抵抗値を選ぶことにより、補正用アンプの搭載を不要とする。
【００５５】
薄膜熱感知体４ａと薄膜熱感知体４ｂとの直列合成抵抗値の設計上の抵抗値を３００Ωとするとき、薄膜熱感知体４ａの設計上の抵抗値を３００Ω、同様に薄膜熱感知体４ｂを３０Ωにしておくのである。
ドライエッチングによる加工形状の変化により、薄膜熱感知体の抵抗値が中央部分に対して周辺部分が１０％分減少したとする。製造工程を経た薄膜熱感知体は、半導体基板の中央部分では、薄膜熱感知体４ａが３００Ω、薄膜熱感知体４ｂが３０Ωであり、抵抗値は変わらない。一方、周辺部分では、薄膜熱感知体４ａが２７０Ω、薄膜熱感知体４ｂが２７Ωとなってしまう。
【００５６】
このとき、半導体基板の中央部分から切り出したセンサチップは、第１の電極パッド８と第３の電極パッド１０とを選択すると、薄膜熱感知体４ａのみの抵抗値を選択できるから、その抵抗値を３００Ωとすることができる。
一方、半導体基板の周辺部分から切り出したセンサチップでは、第１の電極パッド８と第２の電極パッド９とを選択すると、薄膜熱感知体４ａと薄膜熱感知体４ｂとの直列合成抵抗値を選ぶことができるから、その抵抗値は、薄膜熱感知体４ａの抵抗値２７０Ωに薄膜熱感知体４ｂの抵抗値２７Ωを加算して、２９７Ωとなる。この抵抗値は、設計上の抵抗値３００Ωに１％分だけ足りない値で済んでいる。
【００５７】
このように、第１実施形態の薄膜型ガスセンサにあっては、従来技術では１０％のばらつきを生じてしまうドライエッチングの加工条件であっても、１％のばらつきで済ますことができる。
【００５８】
もちろん、薄膜熱感知体４ａ，４ｂの抵抗値は、上記のような値に限るものではない。上述の例は、半導体基板の周辺部分のばらつきを減少させることに傾注した例であるが、半導体基板との中央部分と周辺部分との間のセンサチップについても考慮に入れる必要がある。
そのようなときは、図７に示した例で説明すると、半導体基板の中央部分と周辺部分との中間部分（以下単に中間部分という）のセンサチップを基準位置にして薄膜熱感知体４ａ，４ｂの設計上の抵抗値を決めるとよい。
【００５９】
例えば、図７に示した例では、中間部分のセンサチップ７６（７２）を基準位置とすると、中央部分のセンサチップ７４は、約５％増加し、周辺部分のセンサチップ７７（７１）は、約５％減少することになる。このように、ばらつき範囲の中央付近のセンサチップを基準位置とすると、抵抗値のばらつき範囲すべてに対応できる。
【００６０】
例えば、中間部分（例えば、センサチップ７６や７２）の薄膜熱感知体の設計上の抵抗値を、薄膜熱感知体４ａが３００Ω、薄膜熱感知体４ｂが３０Ωとなるようにする。
製造工程を経た薄膜熱感知体は、半導体基板の中間部分では、薄膜熱感知体４ａが３００Ω、薄膜熱感知体４ｂが３０Ωであり、抵抗値は変わらない。
周辺部分（例えば、センサチップ７７や７１）では、薄膜熱感知体４ａが２８５Ω、薄膜熱感知体４ｂが２８．５Ωと、抵抗値が５％分減少する。
中央部分（例えば、センサチップ７４）では、薄膜熱感知体４ａが３１５Ω、薄膜熱感知体４ｂが３１．５Ωと、抵抗値が５％分増加する。
【００６１】
このとき、半導体基板の中間部分から切り出したセンサチップは、第１の電極パッド８と第３の電極パッド１０とを選択すると、薄膜熱感知体４ａのみの抵抗値を選択できるから、その抵抗値を３００Ωとすることができる。
半導体基板の中央部分から切り出したセンサチップも同様に、第１の電極パッド８と第３の電極パッド１０とを選択すると、薄膜熱感知体４ａのみの抵抗値を選択できるから、その抵抗値を３１５Ωとすることができる。
一方、半導体基板の周辺部分から切り出したセンサチップでは、第１の電極パッド８と第２の電極パッド９とを選択すると、薄膜熱感知体４ａと薄膜熱感知体４ｂとの直列合成抵抗値を選ぶことができるから、その抵抗値は、薄膜熱感知体４ａの抵抗値２８５Ωに薄膜熱感知体４ｂの抵抗値２８．５Ωを加算して、３１３．５Ωとなる。
【００６２】
このようにすれば、従来技術では１０％のばらつきを生じてしまうドライエッチングの加工条件であっても、半導体基板の中央分部分、周辺部分のセンサチップの薄膜熱感知体の抵抗値は、設計上の抵抗値３００Ωに対して５％分の増減の範囲に入ることができる。
【００６３】
ドライエッチングによる加工形状の変化は、実験や試作を行うことでその変化の傾向を知ることが容易にできる。このように、薄膜熱感知体の加工形状の変化を見越して、薄膜熱感知体４ａ，４ｂの抵抗値を設計することにより、製造工程を経た薄膜熱感知体の抵抗値を、ドライエッチングによる加工形状のばらつきによる変化分より小さい変化分に押さえ込むことができるのである。
【００６４】
［電極パッドの選択方法の説明：図１］
次に、第１の実施形態における薄膜熱感知体の選択方法について説明する。すでに説明
したように、本発明の薄膜型ガスセンサは、その薄膜熱感知体の抵抗値を任意に選ぶことができる。その方法は、第１から第３の電極パッドの選択の組み合わせを変えることでなされる。
図１に示すように、各電極パッドの近傍には、マークM１，Ｍ２，Ｍ３が設けてある。これらのマークは、薄膜熱感知体４ａ，４ｂ、第１から第３の各金属薄膜抵抗体、第１から第３の各電極パッドと同一の材質で構成することができる。例えば、白金やパラジウムなどの高融点貴金属で構成している。
【００６５】
このマークＭ１，Ｍ２，Ｍ３は、すでに説明したように、半導体基板に複数のセンサチップを構成し、薄膜熱検知体の加工の際に発生する抵抗値のばらつきに対応するため、センサチップごとに薄膜熱感知体の抵抗値を選ぶときに用いるものである。薄膜熱検知体の抵抗値を変更するには、第１から第３の電極パッドを組み合わせるが、その際に、どの電極パッドを用いるかをセンサチップに記しておくためのマークとして用いるのである。
【００６６】
例えば、第１の電極パッド８と第２の電極パッド９とを選択することが決定されたとき、その後の工程で、これらの電極パッドを認識し易いように、近傍のマークＭ１，Ｍ２を加工するのである。具体的には、マークＭ１，Ｍ２の形状を、例えば、平面から見て三角形に変形させるのである。
このマークＭ１，Ｍ２の加工には、特に限定しないが、レーザートリミングなどに用いる既知のレーザー照射装置を用いることができる。もちろん、知られているタングステン針などを用いて、マークＭ１，Ｍ２の表面に傷を付けるような加工であってもよい。
【００６７】
このように、形状を加工されたマークＭ１，Ｍ２，Ｍ３を、形状認識できる光学装置などを使って検出することで、第１から第３の各電極パッドを選択することができる。このため、マークＭ１，Ｍ２，Ｍ３は、高融点貴金属で構成するほか、支持基板１１に凹凸形状を施したものであってもかまわない。
支持基板１１に凹凸を設けると、その上部の絶縁膜１２にも凹凸が発生する。マークＭ１，Ｍ２，Ｍ３を加工するとき、絶縁膜１２上の凹凸部分を埋め込むように、例えば、タングステンの薄膜などを形成してもよい。このような加工は、知られている集束イオンビーム装置（ＦＩＢ：Ｆｏｃｕｓｅｄ  Ｉｏｎ  Ｂｅａｍ）の蒸着機能を使って簡単に形成することができる。
なお、このように、予め形成した凹凸を埋め込んで平らにする加工をもってマークＭ１，Ｍ２，Ｍ３の形状を加工するときは、その段差などの表面状態を検出できる光学装置などを使えばよい。
【００６８】
電極パッドを選択するということは、センサチップをパッケージに封止する際に、その電極パッドを選択して図示しないパッケージの端子に接続することをいう。第１から第３の各電極パッドがワイヤーボンディング用の電極パッドであるとすると、どの電極パッドにボンディングを施すかを選択するのである。
【００６９】
もちろん、予め本発明の薄膜型ガスセンサをパッケージに実装するとき、第１の電極パッド８、第２の電極パッド９、第３の電極パッド１０と外部の回路等を接続しておき、その回路側の切り替えまたは接続配線途中に設ける切り替えスイッチ等で電極パッドを選択できるようにしてもよい。
【００７０】
ところで、第１の電極パッド８と第２の電極パッド９との間の距離を示す距離Ｌ１と、第１の電極パッド８と第３の電極パッド１０との間の距離を示す距離Ｌ２とを等しくすることもできる。加えて、センサチップを図１（ａ）に示すような平面からみて正方形に構成してもよい。このように構成すると、センサチップをパッケージに封止する際の実装工程を簡略化することができる。
すなわち、距離Ｌ１と距離Ｌ２とが等しく、センサチップが正方形であれば、センサチップを平面から見て時計回りまたは反時計回りに回転させるだけで、電極パッドを選択させることもできる。電極パッドに接触するためのボンディング装置の先端部の位置や、電極パッドと接触するための接触針の間隔を変更する必要がなく、センサチップの回転によって電極パッドを選択できるのである。
【実施例２】
【００７１】
［第２の実施形態の説明：図２］
本発明の薄膜型ガスセンサの第２の実施形態を図２を用いて説明する。図２は、第２の実施形態の構造を模式的に示す平面図である。図２は、図１（ａ）に示す方向と同じ方向から見た平面図である。図２において、３ｂは分岐部、５ａ，５ｂは薄膜熱感知体である。なお、すでに説明した構成には同一の番号を付与しており、説明を省略する。
【００７２】
図２に示す第２の実施形態とすでに説明した実施形態との違いは、薄膜熱感知体の抵抗値である。第２の実施形態では、薄膜熱感知体５ａ，５ｂの形状を同一としている。つまり、薄膜熱感知体５ａ，５ｂに備わる抵抗値は同一となっている。
【００７３】
このような構成にすることで、薄膜型ガスセンサとしての寿命を延ばすことができる。すなわち、薄膜熱感知体５ａ，５ｂを例えば、それぞれ３００Ωとしておく。このセンサチップの薄膜熱感知体を選択するとき、第１の電極パッド８と第３の電極パッド１０とを選択し、薄膜熱感知体５ａを使用するようにする。その後、ガスセンサとして運用するうちに、薄膜熱感知体５ａの劣化が進行し、ガス検出感度が低下してしまったとする。そのとき、第２の電極パッド９と第３の電極パッド１０とを選択し、それまで使用していない薄膜熱感知体５ｂを使用するようにする。
【００７４】
このようにすれば、薄膜熱感知体５ａ，５ｂは同一の抵抗値を備えているので、ガス検出感度を１回、回復することができ、薄膜型ガスセンサとしての寿命を延ばすことができる。
【００７５】
このようにするためには、予め本発明の薄膜型ガスセンサをパッケージに実装するとき、第１の電極パッド８、第２の電極パッド９、第３の電極パッド１０と外部の回路等を接続しておき、その回路側の切り替えまたは接続配線途中に設ける切り替えスイッチ等で薄膜熱感知体５ａまたは薄膜熱感知体５ｂを選択できるようにする。
【００７６】
もちろん、薄膜熱感知体５ａ，５ｂの選択に際しては、マークＭ１，Ｍ２，Ｍ３を変形させるなどしておけば、各電極パッドの選択をスムースにすることができるのは、第１の実施形態と同様である。
【実施例３】
【００７７】
［第３の実施形態の説明：図３］
本発明の薄膜型ガスセンサの第３の実施形態を図３を用いて説明する。図３は、第３の実施形態の構造を模式的に示す平面図である。図３は、図１（ａ）に示す方向と同じ方向から見た平面図である。図３において、３ｃは分岐部、６ａ，６ｂ，６ｃは薄膜熱感知体である。なお、すでに説明した構成には同一の番号を付与しており、説明を省略する。
【００７８】
図３に示す第３の実施形態とすでに説明した実施形態との違いは、薄膜熱感知体の数である。第３の実施形態では、分岐部３ｃと金属薄膜抵抗体１７との間に新たに薄膜熱感知体６ｃを設け、第３の電極パッド１０へ接続している。
【００７９】
ここで、薄膜熱感知体６ａ，６ｂ，６ｃの有する抵抗値を全て異なる値とした場合、第
１の電極パッド８、第２の電極パッド９、第３の電極パッド１０の選択により、薄膜熱感知体６ａと薄膜熱感知体６ｂ、薄膜熱感知体６ａと薄膜熱感知体６ｃ、薄膜熱感知体６ｂと薄膜熱感知体６ｃの３通りの直列合成抵抗値を得ることができる。
【００８０】
例えば、図７に示した例では、中央部分のセンサチップ７４を基準位置とすると、中間部分のセンサチップ７６（７２）は、５％分減少し、周辺部分のセンサチップ７７（７１）は、１０％分減少するというばらつきを有することになる。
中央部分の薄膜熱感知体の設計上の抵抗値を、薄膜熱感知体６ａが１３０Ω、薄膜熱感知体６ｂが１７０Ω、薄膜熱感知体６ｃが１８０Ωとなるようにする。
製造工程を経た薄膜熱感知体は、半導体基板の中央部分（例えば、センサチップ７４）では、薄膜熱感知体６ａが１３０Ω、薄膜熱感知体６ｂが１７０Ω、薄膜熱感知体６ｃが１８０Ωであり、抵抗値は変わらない。
中間部分（例えば、センサチップ７６や７２）では、薄膜熱感知体６ａが１２３．５Ω、薄膜熱感知体６ｂが１６１．５Ω、薄膜熱感知体６ｃが１７１Ωであり、抵抗値は５％分減少する。
周辺部分（例えば、センサチップ７７や７１）では、薄膜熱感知体６ａが１１７Ω、薄膜熱感知体６ｂが１５７Ω、薄膜熱感知体６ｃが１６２Ωであり、抵抗値は１０％分減少する。
【００８１】
このとき、半導体基板の中央部分から切り出したセンサチップは、第１の電極パッド８と第２の電極パッド９とを選択すると、薄膜熱感知体６ａと薄膜熱感知体６ｂとの直列合成抵抗値を選ぶことができるから、その抵抗値は、３００Ωとなる。
中間部分から切り出したセンサチップは、第１の電極パッド８と第３の電極パッド１０とを選択すると、薄膜熱感知体６ａと薄膜熱感知体６ｃとの直列合成抵抗値を選ぶことができるから、その抵抗値は、２９４．５Ωとなる。この抵抗値は、設計上の抵抗値３００Ωに対して約１．８％分の減少で済んでいる。
周辺部分から切り出したセンサチップは、第２の電極パッド９と第３の電極パッド１０とを選択すると、薄膜熱感知体６ｂと薄膜熱感知体６ｃとの直列合成抵抗値を選ぶことができるから、その抵抗値は、３１９Ωとなる。この抵抗値は、設計上の抵抗値３００Ωに対して約６％分の増加で済んでいる。
【００８２】
このようにすれば、従来技術では１０％のばらつきを生じてしまうドライエッチングの加工条件であっても、半導体基板の中心部分、中央分部分、周辺部分のセンサチップの薄膜熱感知体の抵抗値は、設計上の抵抗値３００Ωに対して約１．８％から約６％の増減の範囲に入るようにできる。
【実施例４】
【００８３】
［第４の実施形態の説明：図４］
本発明の薄膜型ガスセンサの第４の実施形態を図４を用いて説明する。図４は、第４の実施形態の構造を模式的に示す平面図である。図４は、図１（ａ）に示す方向と同じ方向から見た平面図である。図４において、３ｄは分岐部、７ａ，７ｂ，７ｃは薄膜熱感知体である。１３は第４の電極パッド、１９は第４の配線となる第４の金属薄膜抵抗体、Ｍ４はマークである。なお、すでに説明した構成には同一の番号を付与しており、説明を省略する。
【００８４】
図４に示す第４の実施形態とすでに説明した実施形態との違いは、電極パッドの数であり、この電極パッドと分岐部とを接続する金属薄膜抵抗体を設けた点である。第４の実施形態では、第４の電極パッド１３を設け、金属薄膜抵抗体１９によって分岐部３ｄに接続している。
【００８５】
ここで、薄膜熱感知体７ａ，７ｂ，７ｃの有する抵抗値を全て同じ値とした場合、第１の電極パッド８、第２の電極パッド９、第３の電極パッド１０、第４の電極パッド１３の選択により、薄膜熱感知体７ａ、薄膜熱感知体７ｂ、薄膜熱感知体７ｃをそれぞれ選択することができる。
【００８６】
このような構成にすることで、薄膜型ガスセンサとしての寿命を延ばすことができる。すなわち、薄膜熱感知体７ａ，７ｂ，７ｃを例えば、それぞれ３００Ωとしておく。このセンサチップの薄膜熱感知体を選択するとき、第１の電極パッド８と第４の電極パッド１３とを選択し、薄膜熱感知体７ａを使用するようにする。その後、ガスセンサとして運用するうちに、薄膜熱感知体７ａの劣化が進行し、ガス検出感度が低下してしまったとする。そのとき、第２の電極パッド９と第４の電極パッド１３とを選択し、それまで使用していない薄膜熱感知体７ｂを使用するようにする。さらにその後、ガスセンサとして運用するうちに、薄膜熱感知体７ｂの劣化が進行し、ガス検出感度が低下してしまったとしても、第３の電極パッド１０と第４の電極パッド１３とを選択すれば、それまで使用していない薄膜熱感知体７ｃが使用できるようになる。
【００８７】
なお、すでに説明した実施形態と同様に、電極パッドの選択の際には、マークＭ１，Ｍ２，Ｍ３，Ｍ４の形状加工をもって認識させるようにする。
【００８８】
このようにすれば、薄膜熱感知体７ａ，７ｂ，７ｃは同一の抵抗値を備えているので、ガス検出感度を２回、回復することができ、薄膜型ガスセンサとしての寿命を延ばすことができる。
【００８９】
また、薄膜熱感知体７ａ，７ｂ，７ｃをそれぞれ異なる抵抗値を備えるようにしてもよい。そうすると、すでに説明した第３の実施形態と同様に、薄膜熱感知体を組み合わせることによって、その抵抗値を所定の範囲に収めることができる。
【００９０】
［製造方法の簡単な説明：図１］
次に、本発明の薄膜型ガスセンサの製造方法を説明する。例として、第１の実施形態の製造方法を図１を用いて簡単に説明する。もちろん、以下説明する製造方法は、単なる一例であって限定するものではない。
まず、半導体基板の上部に、ＣＶＤ法など知られている薄膜形成方法を用いて、絶縁膜１２を設ける。
【００９１】
次に、梁部２を形成するために、絶縁膜１２を所定の形状にエッチングする。このとき、エッチングする領域の絶縁膜１２は完全に除去し、半導体基板が露出するようにする。
【００９２】
次に、絶縁膜１２の上部にスパッタリングなどの知られている金属薄膜形成法を用いて金属薄膜を設け、所定の形状にパターニングして分岐部３ａ、薄膜熱感知体４ａ，４ｂ、金属薄膜抵抗体１５，１６，１７、電極パッド８，９，１０を形成する。
【００９３】
次に、半導体基板を四角枠状に加工するべく、半導体基板裏面における、梁部２と平面的に重なる部分、および貫通孔１ａ，１ｂの形成する部分を四角枠状にマスキングし、裏面から半導体基板をエッチングして、支持基板１１の形状とする。これにより貫通孔１ａ，１ｂが形成される。また梁部２も、その下部の半導体基板が除去され、梁構造を有することとなる。これにより、本発明の薄膜型ガスセンサの構造体が完成する。
【００９４】
［ガス検知体を用いる構成の説明：図１（ａ）、図５］
次に、説明した本発明の薄膜型ガスセンサのガス検知にガス検知体を用いる構成を説明する。この説明でも、第１の実施形態から第３の実施形態にて説明した構成を例にして、
図５を用いて説明する。図５において、２２はガス検知体（触媒）である。なお、すでに説明した同一の構成には同一の番号を付与してあり、それらの説明は省略する。
【００９５】
図１から図４に示したように、梁部２の表面には、分岐部３ａ，３ｂ，３ｃ、薄膜熱感知体４ａ，４ｂ，５ａ，５ｂ，６ａ，６ｂ，６ｃ、金属薄膜抵抗体１５，１６，１７の一部を設けている。図５において、ガス検知体２２はこれらを覆うように設けている。
【００９６】
ガス検知体２２は、例えば、酸化スズ（ＳｎＯ２）に白金（Ｐｔ）とパラジウム（Ｐｄ）とを分散させたものを使用する。これは特定の可燃性ガスに反応して発熱する性質を備えている。
具体的には、メタンガス、水素ガス、ＬＰガス（液化石油ガス）、プロパンガス、ブタンガス、エチレンガス、一酸化炭素ガス、またはエタノールやアセトン等の有機成分ガスが挙げられる。
【００９７】
ガスセンサとして使用する場合は、薄膜熱感知体に電流を流し、加熱しておく必要がある。これは、ガス検知体２２は、予め所定の温度に熱することで、上述の特定の可燃性ガスの到来に対して、より早く反応させるためである。
【００９８】
これらのガスがガス検知体２２に接触すると、その発生熱は薄膜熱感知体へ伝導する。これにより、薄膜熱感知体の抵抗値が変化する。この抵抗変化分を検出することで、可燃性ガスの到来を検知することができる。
【産業上の利用可能性】
【００９９】
本発明の薄膜型ガスセンサは、ガス検出感度の個体差をセンサチップ上にて補完し、パッケージレベルのガスセンサを小型化することができる。このため、サイズ要求がシビアな携帯型機器のガスセンサとして好適である。
【符号の説明】
【０１００】
１ａ，１ｂ  貫通孔
２  梁部
３ａ，３ｂ，３ｃ，３ｄ  分岐部
４ａ，４ｂ，５ａ，５ｂ，６ａ，６ｂ，６ｃ，７ａ，７ｂ，７ｃ  薄膜熱感知体
８  第１の電極パッド
９  第２の電極パッド
１０  第３の電極パッド
１１  支持基板
１２  絶縁膜
１３  第４の電極パッド
１５  第１の金属薄膜抵抗体
１６  第２の金属薄膜抵抗体
１７  第３の金属薄膜抵抗体
１９  第４の金属薄膜抵抗体
２２  ガス検知体
【図１】
2010164411.tif 000003
【図２】
2010164411.tif 000004
【図３】
2010164411.tif 000005
【図４】
2010164411.tif 000006
【図５】
2010164411.tif 000007
【図６】
2010164411.tif 000008
【図７】
2010164411.tif 000009